(57)【要約】  網膜撮影装置の外観を形成するケースと、ケースに連結され、被検者の頭に着用自在に形成される据置部と、を具備するボディユニット；ケースの内部に配置され、被検者の左目または右目の網膜に光を照射し、網膜から反射された光を検出し、網膜の映像を獲得する網膜撮影ユニット；及び被検者の両眼を撮影するように、ケースの内部において、網膜撮影ユニットの位置を移動させる駆動ユニット；を含む網膜撮影装置である。
2020507386.tif 000002
【特許請求の範囲】
【請求項１】
携帯用網膜撮影装置の外観を形成するケースと、前記ケースに連結され、被検者の頭に着用自在に形成される据置部と、を具備するボディユニットと、
前記ケースの内部に配置され、前記被検者の左目または右目の網膜に光を照射し、前記網膜から反射された光を検出し、前記網膜の映像を獲得する網膜撮影ユニットと、
前記被検者の両眼を撮影するように、前記ケースの内部において、前記網膜撮影ユニットの位置を移動させる駆動ユニットと、を含む網膜撮影装置。
【請求項２】
前記網膜撮影ユニットは、
前記被検者の左目または右目の網膜に、第１光を照射する第１光源部と、
前記網膜から反射された第１光を検出する検出部と、
１以上のレンズ及びビームスプリッタを具備し、前記第１光源部から照射された前記第１光を、前記網膜に案内し、前記網膜から反射された前記第１光を、前記検出部に案内する光学部と、を含むことを特徴とする請求項１に記載の網膜撮影装置。
【請求項３】
前記網膜撮影ユニットは、
前記被検者の網膜に、前記第１光と異なる波長帯域の第２光を照射する第２光源部をさらに含み、
前記検出部は、前記網膜から反射された前記第１光及び前記第２光を検出することを特徴とする請求項２に記載の網膜撮影装置。
【請求項４】
外部から提供されるオーディオ信号を受信する通信ユニットと、
前記受信されたオーディオ信号を被検者に伝達するスピーカユニットと、をさらに含むことを特徴とする請求項１に記載の網膜撮影装置。
【請求項５】
前記スピーカユニットは、前記ボディユニットの前記据置部の一側に配置されることを特徴とする請求項４に記載の網膜撮影装置。
【請求項６】
前記ケースの内部に配置され、前記被検者の左目または右目に、既設定パターン映像を提供するディスプレイユニットをさらに含むことを特徴とする請求項１に記載の網膜撮影装置。
【請求項７】
前記ディスプレイユニットは、視線固定点を含むパターン映像を、前記被検者の左目または右目に提供することを特徴とする請求項７に記載の網膜撮影装置。
【請求項８】
外観を形成するケースを具備するボディユニットと、
前記ケースの内部に配置され、被検者の左目または右目の網膜に光を照射し、前記網膜から反射された光を検出し、前記網膜の映像を獲得する網膜撮影ユニットと、
前記被検者の両眼を撮影するように、前記ケースの内部において、前記網膜撮影ユニットの位置を移動させる駆動ユニットと、
以前の網膜撮影で獲得した前記被検者の前記左目に係わる第１測定位置情報、及び前記右目に係わる第２測定位置情報を提供され、前記被検者が、前記ボディユニットを装着すれば、前記第１測定位置情報または前記第２測定位置情報を利用し、前記網膜撮影ユニットが、前記左目の第１測定位置、または前記右目の第２測定位置に移動するように、前記駆動ユニットを制御する制御ユニットと、を含む網膜撮影装置。
【請求項９】
前記第１測定位置情報は、前記左目に係わる第１瞳孔中心座標を含み、
前記第２測定位置情報は、前記右目に係わる第２瞳孔中心座標を含み、
前記第１瞳孔中心座標及び前記第２瞳孔中心座標は、第１軸、及び前記第１軸に垂直な第２軸に係わる平面座標データであることを特徴とする請求項８に記載の網膜撮影装置。
【請求項１０】
前記第１測定位置情報は、前記第１軸と前記第２軸とに垂直な第３軸に係わる第１座標データ及び第１焦点位置データをさらに含み、
前記第２測定位置情報は、前記第３軸に係わる第２座標データ及び第２焦点位置データをさらに含むことを特徴とする請求項９に記載の網膜撮影装置。
【請求項１１】
前記制御ユニットは、前記網膜撮影ユニットを、前記第１瞳孔中心座標に移動させた後、前記第１座標データ及び前記第１焦点位置データを利用して再調整するか、あるいは前記網膜撮影ユニットを、前記第２瞳孔中心座標に移動させた後、前記第２座標データ及び前記第２焦点位置データを利用して再調整するように、前記駆動ユニットを制御することを特徴とする請求項１０に記載の網膜撮影装置。
【請求項１２】
前記制御ユニットは、前記被検者の前記左目と前記右目との距離データをさらに提供され、前記網膜撮影ユニットが、前記左目及び前記右目のうちいずれか一つを測定した後、前記距離データを利用し、前記左目及び前記右目のうち残り一つに移動するように、前記駆動ユニットを制御することを特徴とする請求項８に記載の網膜撮影装置。
【請求項１３】
前記第１測定位置情報及び前記第２測定位置情報は、前記被検者に係わる以前の網膜撮影の最適焦点条件での前記網膜撮影ユニットの位置情報であることを特徴とする請求項８に記載の網膜撮影装置。
【請求項１４】
携帯用網膜撮影装置を利用した網膜撮影方法において、
駆動ユニットにより、ボディユニットの内部において、被検者の左目または右目に対応する位置に、前記網膜撮影ユニットを移動させる段階と、
ディスプレイユニットにより、前記被検者の左目または右目に既設定パターン映像を提供する段階と、
網膜撮影ユニットにより、前記被検者の左目または右目の網膜に光を照射し、前記網膜から反射された光を検出し、前記網膜の仮映像を撮影する段階と、
制御ユニットにより、前記仮映像及び前記パターン映像を基に、前記網膜撮影ユニットの位置を調整する段階と、
前記網膜撮影ユニットにより、前記網膜の映像を獲得する段階と、を含む携帯用網膜撮影装置を利用した網膜撮影方法。
【請求項１５】
前記網膜撮影ユニットの位置を調整する段階は、
前記仮映像に、前記被検者の左目または右目の黄斑及び視神経乳頭の存在いかんを確認する段階と、
前記仮映像において、前記黄斑及び前記視神経乳頭のうち少なくとも一つが存在しない場合、前記黄斑及び前記視神経乳頭のいずれもが、前記仮映像に存在するように、前記網膜撮影ユニットの位置を調整した後、前記パターン映像の中心と、前記黄斑の中心とを一致させる段階と、を含むことを特徴とする請求項１４に記載の携帯用網膜撮影装置を利用した網膜撮影方法。
【請求項１６】
前記既設定パターン映像を提供する段階は、視線固定点を含むパターン映像を、前記被検者の左目または右目に提供することを特徴とする請求項１４に記載の携帯用網膜撮影装置を利用した網膜撮影方法。
【請求項１７】
前記既設定パターン映像を提供する段階は、色盲検査または色弱検査に使用されるパターン映像を、前記被検者の左目または右目に提供することを特徴とする請求項１４に記載の携帯用網膜撮影装置を利用した網膜撮影方法。
【発明の詳細な説明】
【技術分野】
【０００１】
本発明は、網膜撮影装置、及びそれを利用した網膜撮影方法に関する。
【背景技術】
【０００２】
眼底は、眼球内網膜の後半部を意味するものであり、眼底検査を介して、網膜の中心部である黄斑部、視神経乳頭そして網膜血管などを観察することができ、眼底検査を介して、高血圧患者の病気の軽重を判断することができ、糖尿の眼合併症検査を行うことができる。視神経乳頭の様子から、緑内障、脳圧上昇、視神経症、虚血性神経病症など多様な視神経疾患の診断に利用され、黄斑変性、未熟児網膜症のような網膜疾患にも必須である。特に、眼底検査を介して、三大失明原因のうち２種である緑内障と黄斑変性との早期診断が可能である。
【０００３】
一方、従来の眼底カメラは、一定位置に固定された状態で、被検者の眼底を検査するために、被検者は、眼底検査を受けるために、病院のような医療機関を訪問しなければならないという煩わしさがあり、医療機関が不足した地域では、眼底検査を受けることさえ困難であった。
【発明の概要】
【発明が解決しようとする課題】
【０００４】
前述のような問題及び／または限界を解決するために、被検者の最適映像を反復的に獲得することができる網膜撮影装置、及びそれを利用した網膜撮影方法を提供するところに目的がある。
【課題を解決するための手段】
【０００５】
本発明の一実施形態は網膜撮影装置の外観を形成するケースと、前記ケースに連結され、被検者の頭に着用自在に形成される据置部と、を具備するボディユニット；前記ケースの内部に配置され、前記被検者の左目または右目の網膜に光を照射し、前記網膜から反射された光を検出し、前記網膜の映像を獲得する網膜撮影ユニット；及び前記被検者の両眼を撮影することができるように、前記ケースの内部において、前記網膜撮影ユニットの位置を移動させる駆動ユニット；を含む網膜撮影装置を提供する。
【発明の効果】
【０００６】
本発明の実施形態による網膜撮影装置は、据置部を利用し、ボディユニットを安定して固定させることにより、どこにでも携帯し、網膜撮影を可能にしながらも、正確であって鮮明な網膜映像を獲得させられる。また、該網膜撮影装置は、ボディユニットの内部において、網膜撮影ユニットの位置を移動させることができる駆動ユニットを含むことにより、１回の装着で、被検者の両眼が、いずれも同一環境条件で撮影が可能であり、正確な検査結果を導出することができる。
【図面の簡単な説明】
【０００７】
【図１】本発明の一実施形態による網膜撮影装置を図示した斜視図である。
【図２】図１の網膜撮影装置の側面図である。
【図３】図１の網膜撮影装置の他の実施形態を図示した図面である。
【図４】図１の網膜撮影装置を概略的に図示したブロック図である。
【図５】図４の網膜撮影ユニットの光学構造を概略的に図示した図面である。
【図６】図４の網膜撮影ユニットの光学構造の他の実施形態を概略的に図示した図面である。
【図７】本発明の一実施形態による網膜撮影装置の網膜撮影方法を順次に図示した順序図である。
【図８】図１の網膜撮影装置を利用して網膜を撮影する方法を概略的に示した概念図である。
【図９】本発明の他の実施形態による網膜撮影装置を利用した網膜撮影方法を順次に図示した順序図である。
【図１０】図９の網膜撮影方法について説明するための概念図である。
【発明を実施するための形態】
【０００８】
本発明の一実施形態は、網膜撮影装置の外観を形成するケースと、前記ケースに連結され、被検者の頭に着用自在に形成される据置部と、を具備するボディユニット；前記ケースの内部に配置され、前記被検者の左目または右目の網膜に光を照射し、前記網膜から反射された光を検出し、前記網膜の映像を獲得する網膜撮影ユニット；及び前記被検者の両眼を撮影するように、前記ケースの内部において、前記網膜撮影ユニットの位置を移動させる駆動ユニット；を含む網膜撮影装置を提供する。
【０００９】
本発明の一実施形態において、前記網膜撮影ユニットは、前記被検者の左目または右目の網膜に第１光を照射する第１光源部；前記網膜から反射された第１光を検出する検出部；及び１以上のレンズ及びビームスプリッタを具備し、前記第１光源部から照射された前記第１光を前記網膜に案内し、前記網膜から反射された前記第１光を前記検出部に案内する光学部；を含んでもよい。
【００１０】
本発明の一実施形態において、前記網膜撮影ユニットは、前記被検者の網膜に、前記第１光と異なる波長帯域の第２光を照射する第２光源部をさらに含み、前記検出部は、前記網膜から反射された前記第１光及び前記第２光を検出することができる。
【００１１】
本発明の一実施形態において、外部から提供されるオーディオ信号を受信する通信ユニット、及び前記受信されたオーディオ信号を被検者に伝達するスピーカユニットをさらに含んでもよい。
【００１２】
本発明の一実施形態において、前記スピーカユニットは、前記ボディユニットの前記据置部の一側にも配置される。
【００１３】
本発明の一実施形態において、前記ケースの内部に配置され、前記被検者の左目または右目に既設定パターン映像を提供するディスプレイユニットをさらに含んでもよい。
【００１４】
本発明の一実施形態において、前記ディスプレイユニットは、視線固定点（fixation point）を含むパターン映像を、前記被検者の左目または右目に提供することができる。
【００１５】
本発明の他の実施形態は、外観を形成するケースを具備するボディユニット；前記ケースの内部に配置され、被検者の左目または右目の網膜に光を照射し、前記網膜から反射された光を検出し、前記網膜の映像を獲得する網膜撮影ユニット；前記被検者の両眼を撮影するように、前記ケースの内部において、前記網膜撮影ユニットの位置を移動させる駆動ユニット；並びに以前の網膜撮影で獲得した前記被検者の前記左目に係わる第１測定位置情報と、前記右目に係わる第２測定位置情報と、を提供され、前記被検者が、前記ボディユニットを装着すれば、前記第１測定位置情報または前記第２測定位置情報を利用し、前記網膜撮影ユニットが、前記左目の第１測定位置、または前記右目の第２測定位置に移動するように、前記駆動ユニットを制御する制御ユニット；を含む網膜撮影装置を提供する。
【００１６】
本発明の一実施形態において、前記第１測定位置情報は、前記左目に係わる第１瞳孔中心座標を含み、前記第２測定位置情報は、前記右目に係わる第２瞳孔中心座標を含み、前記第１瞳孔中心座標及び前記第２瞳孔中心座標は、第１軸、及び前記第１軸に垂直な第２軸に係わる平面座標データでもある。
【００１７】
本発明の一実施形態において、前記第１測定位置情報は、前記第１軸と前記第２軸とに垂直な第３軸に係わる第１座標データ及び第１焦点位置データをさらに含み、前記第２測定位置情報は、前記第３軸に係わる第２座標データ及び第２焦点位置データをさらに含んでもよい。
【００１８】
本発明の一実施形態において、前記制御ユニットは、前記網膜撮影ユニットを、前記第１瞳孔中心座標に移動させた後、前記第１座標データ及び前記第１焦点位置データを利用して再調整するか、あるいは前記網膜撮影ユニットを、前記第２瞳孔中心座標に移動させた後、前記第２座標データ及び前記第２焦点位置データを利用して再調整するように、前記駆動ユニットを制御することができる。
【００１９】
本発明の一実施形態において、前記制御ユニットは、前記被検者の前記左目と前記右目との距離データをさらに提供され、前記網膜撮影ユニットが、前記左目及び前記右目のうちいずれか一つを測定した後、前記距離データを利用し、前記左目及び前記右目のうち残り一つに移動するように、前記駆動ユニットを制御することができる。
【００２０】
本発明の一実施形態において、前記第１測定位置情報及び前記第２測定位置情報は、前記被検者に係わる以前の網膜撮影の最適焦点条件での前記網膜撮影ユニットの位置情報でもある。
【００２１】
本発明の一実施形態は、携帯用網膜撮影装置を利用した網膜撮影方法において、駆動ユニットによって、ボディユニットの内部において、被検者の左目または右目に対応する位置に、前記網膜撮影ユニットを移動させる段階、ディスプレイユニットによって、前記被検者の左目または右目に既設定パターン映像を提供する段階、網膜撮影ユニットによって、前記被検者の左目または右目の網膜に光を照射し、前記網膜から反射された光を検出し、前記網膜の仮映像を撮影する段階、制御ユニットによって、前記仮映像及び前記パターン映像を基に、前記網膜撮影ユニットの位置を調整する段階、及び前記網膜撮影ユニットによって、前記網膜の映像を獲得する段階を含む網膜撮影装置を利用した網膜撮影方法を提供する。
【００２２】
本発明の一実施形態において、前記網膜撮影ユニットの位置を調整する段階は、前記仮映像に、前記被検者の左目または右目の黄斑（fovea）及び視神経乳頭（optic disc）の存在いかんを確認する段階、及び前記仮映像において、前記黄斑及び前記視神経乳頭のうち少なくとも一つが存在しない場合、前記黄斑及び前記視神経乳頭のいずれも、前記仮映像に存在するように、前記網膜撮影ユニットの位置を調整した後、前記パターン映像の中心と、前記黄斑の中心とを一致させる段階を含んでもよい。
【００２３】
本発明の一実施形態において、前記既設定パターン映像を提供する段階は、視線固定点を含むパターン映像を、前記被検者の左目または右目に提供することができる。
【００２４】
本発明の一実施形態において、前記既設定パターン映像を提供する段階は、色盲検査または色弱検査に使用されるパターン映像を、前記被検者の左目または右目に提供することができる。
【００２５】
以下、添付された図面を参照し、以下の実施形態について詳細に説明するが、図面を参照して説明するとき、同一であるか、あるいは対応する構成要素は、同一図面符号を付し、それに係わる重複説明は、省略する。
【００２６】
本実施形態は、多様な変換を加えることができるが、特定実施形態を図面に例示し、詳細な説明によって詳細に説明する。本実施形態の効果、特徴、及びそれらを達成する方法は、図面と共に詳細に後述されている内容を参照すれば、明確になるであろう。しかし、本実施形態は、以下で開示される実施形態に限定されるものではなく、多様な形態にも具現される。
【００２７】
以下の実施形態において、第１、第２のような用語は、限定的な意味ではなく、１つの構成要素を他の構成要素と区別する目的に使用された。
【００２８】
以下の実施形態において、単数の表現は、文脈上明白に異なって意味しない限り、複数の表現を含む。
【００２９】
以下の実施形態において、「含む」または「有する」というような用語は、明細書上に記載された特徴または構成要素が存在するということを意味するものであり、１以上の他の特徴または構成要素が付加される可能性をあらかじめ排除するものではない。
【００３０】
以下の実施形態において、ユニット、領域、構成要素のような部分が他の部分の上または上部にあるとするとき、他の部分の真上にある場合だけではなく、その中間に、他のユニット、領域、構成要素などが介在されている場合も含む。
【００３１】
以下の実施形態において、「連結」または「結合」というような用語は、文脈上明白に異なって意味しない限り、必ずしも２つの部材の直接的及び／または固定的な連結または結合を意味するものではなく、２つの部材間に他の部材が介在されたものを排除するものではない。
【００３２】
明細書上に記載された特徴または構成要素が存在することを意味するものであり、１以上の他の特徴または構成要素が付加される可能性をあらかじめ排除するものではない。
【００３３】
図面においては、説明の便宜のために、構成要素がその大きさが誇張されていたり縮小されていたりする。例えば、図面に示された各構成の大きさ及び厚みは、説明の便宜のために任意に示されており、以下の実施形態は、必ずしも図示されたところに限定されるものではない。
【００３４】
図１は、本発明の一実施形態による網膜撮影装置１０を図示した斜視図であり、図２は、図１の網膜撮影装置１０の側面図である。図３は、図１の網膜撮影装置１０の他の実施形態を図示した図面であり、図４は、図１の網膜撮影装置１０を概略的に図示したブロック図である。
【００３５】
図１ないし図４を参照すれば、本発明の一実施形態による網膜撮影装置１０は、ボディユニット１００、網膜撮影ユニット２００、駆動ユニット３００及び制御ユニット４００を含んでもよい。
【００３６】
ボディユニット１００は、ケース１０１及び据置部１０２を具備することができる。ケース１０１は、網膜撮影装置１０の外観を形成し、内部に中空が形成され、前記網膜撮影ユニット２００及び駆動ユニット３００を収容することができる。ケース１０１には、網膜撮影ユニット２００が、被検者の左目及び右目の網膜をいずれも撮影することができるように、被検者の両眼に対応する位置に、第１開口Ａ１及び第２開口Ａ２が形成されてもよい。図面においては、説明の便宜のために図示されていないが、第１開口Ａ１及び第２開口Ａ２には、ケース１０１内部に配置される網膜撮影ユニット２００を保護するためのカバーガラス、または網膜撮影ユニット２００から提供される光を集束するための光学レンズが配置されてもよい。
【００３７】
他の実施形態として、図３に図示されているように、ボディユニット１００は、据置部１０２を除き、ケース１０１だけで構成されてもよい。ケース１０１だけで構成される場合、被検者が直接手にした状態で撮影することも可能であるが、別途の据置台を具備し、固定させた状態で網膜を撮影することができる。
【００３８】
据置部１０２は、ケース１０１に連結され、被検者の頭に着用が可能な多様な形態にも形成される。一実施形態として、図１及び図２に図示されているように、据置部１０２は、被検者の両耳に据え置かれ、ボディユニット１００を支持するメガネテンプル形態に形成されてもよい。しかし、本発明は、それに制限されるものではなく、据置部１０２は、ボディユニット１００を含む網膜撮影装置１０が、被検者の頭に安定して着用されるいかなる形態であってもよい。例えば、据置部１０２は、弾性素材から形成されたバンド、ヘルメットまたはストラップの形態からもなる。他の実施形態として、据置部１０２は、被検者の額に接触し、前記ボディユニット１００を支持する額支持部１０５をさらに含んでもよい。他の実施形態による据置部１０２は、額支持部１０５を介して網膜撮影が進められる過程において、網膜撮影装置１０を安定して支持することができる。
【００３９】
他の実施形態として、ボディユニット１００は、被検者の顔面に対向するケース１０１の一領域に配置され、被検者の両眼に対する外部光を遮光する遮光部１６０をさらに含んでもよい。遮光部１６０は、網膜撮影装置１０を被検者が着用する場合、被検者の顔面に接触する部分でもある。遮光部１６０は、被検者の顔面の屈曲に対応する構造を有することができる。また、遮光部１６０は、被検者の顔面と安定して密着され、被検者の両眼に対する外部光を効果的に遮光するために、弾性材質を含んでもよい。遮光部１６０には、一部領域に、被検者の鼻が挿入される形状を有する溝が形成されてもよい。遮光部１６０は、網膜撮影中に、被検者の両眼に暗室を提供することができ、瞳孔反射を最小化させることができる。それを介して、本発明の一実施形態による網膜撮影装置１０は、被検者の網膜映像を正確に撮影することができる。
【００４０】
一方、ボディユニット１００は、被検者が網膜撮影を行うにおいて、ケース１０１を容易に安定して手にすることができるように、ケース１０１の一側に配置される取っ手部１１０をさらに含んでもよい。また、ボディユニット１００は、滑りを防止するために、取っ手部１１０に隣接したケース１０１の表面に、凹凸部１１５をさらに含んでもよい。また、ボディユニット１００は、外部の動作により、網膜撮影装置１０に、電源オン／オフ（on／off）信号を提供するスイッチ部１４０、及び網膜撮影装置１０の電源入力いかん、故障いかんのような動作状態を外部に表示する表示部１５０をさらに含んでもよい。表示部１５０は、動作状態により、異なる色相を外部に表示する光源を含み、例えば、ＬＥＤ光源を含んでもよい。
【００４１】
一方、網膜撮影ユニット２００は、ケース１０１の内部に配置され、被検者の左目または右目の網膜に光を照射し、網膜から反射された光を検出し、網膜の映像を獲得することができる。
【００４２】
駆動ユニット３００は、被検者の両眼を測定するように、ケース１０１の内部において、網膜撮影ユニット２００の位置を移動させることができる。駆動ユニット３００は、網膜撮影ユニット２００と連結され、網膜撮影ユニット２００を、被検者の左目及び右目のうちいずれか一つに対応する位置に位置させた後、残り一つの撮影のために、網膜撮影ユニット２００の位置を移動させることができる（Ｐ１⇔Ｐ２）。例えば、駆動ユニット３００は、リニアアクチュエータ及び駆動モータを含んでもよい。しかし、本発明は、それらに制限されるものではなく、駆動ユニット３００は、網膜撮影ユニット２００に、動力を提供することができるいかなる動力伝達装置でも適用が可能である。
【００４３】
制御ユニット４００は、以前の網膜撮影での被検者の左目に係わる第１測定位置情報、及び右目に係わる第２測定位置情報を提供される。具体的には、第１測定位置情報及び第２測定位置情報は、以前の網膜撮影における最適焦点条件での映像を獲得するとき、網膜撮影ユニット２００の位置情報であり、外部サーバにも保存される。言い換えれば、網膜撮影装置１０は、通信ユニット（図示せず）を介して獲得した第１測定位置情報及び第２測定位置情報を外部サーバに伝送すれば、第１測定位置情報及び第２測定位置情報は、被検者識別情報に対応し、データベースを構築することができる。被検者またはユーザは、アプリケーション実行が可能なユーザ端末を利用し、サーバから前述のような第１測定位置情報及び第２測定位置情報を、網膜撮影装置１０に提供するように要請することができる。しかし、本発明は、それに制限されるものではなく、他の実施形態として、制御ユニット４００は、外部サーバから提供されず、第１測定位置情報及び第２測定位置情報が事前に保存されたメモリ部４０２を具備することもできる。
【００４４】
制御ユニット４００は、被検者がボディユニット１００を装着すれば、第１測定位置情報または第２測定位置情報を利用し、網膜撮影ユニット２００が、左目の第１測定位置、または右目の第２測定位置に移動するように、駆動ユニット３００を制御することができる。
【００４５】
網膜撮影装置１０は、被検者が、以前に網膜撮影装置１０を利用して網膜を撮影したとき、最適映像を獲得した位置情報を保存し、保存された位置情報を利用し、次の網膜を撮影する場合、最適の映像を獲得した位置に、網膜撮影ユニット２００を直ちに移動させることができる。そのような網膜撮影装置１０は、検査するたびに、網膜撮影ユニット２００の位置を調整する段階を省略することができ、被検者の検査便宜性を増大させることができるだけではなく、正確な網膜映像を獲得することができる。
【００４６】
具体的には、第１測定位置情報及び第２測定位置情報は、被検者に係わる以前の網膜撮影で獲得した最適位置情報でもある。第１測定位置情報は、左目に係わる第１瞳孔中心座標（ｘ１，ｙ１）を含み、第２測定位置情報は、右目に係わる第２瞳孔中心座標（ｘ２，ｙ２）を含んでもよい。このとき、第１瞳孔中心座標（ｘ１，ｙ１）及び第２瞳孔中心座標（ｘ２，ｙ２）は、第１軸（ｘ軸）、及び第１軸（ｘ軸）に垂直な第２軸（ｙ軸）に係わる平面座標データ（ｘ−ｙ）でもある。
【００４７】
また、第１測定位置情報は、第１軸（ｘ軸）と第２軸（ｙ軸）とに垂直な第３軸（ｚ軸）に係わる第１座標データ（ｚ１）及び第１焦点位置データ（ｆ１）を含んでもよい。同様に、第２測定位置情報は、第３軸（ｚ軸）に係わる第２座標データ（ｚ２）及び第２焦点位置データ（ｆ２）を含んでもよい。言い換えれば、第１測定位置情報及び第２測定位置情報は、ｘ−ｙ−ｚ−ｆの４軸に係わる座標データでもある。
【００４８】
一実施形態として、制御ユニット４００は、網膜撮影ユニット２００を、第１瞳孔中心座標（ｘ１，ｙ１）に移動させた後、第１座標データ（ｚ１）及び第１焦点位置データ（ｆ１）を利用して再調整するか、あるいは網膜撮影ユニット２００を、第２瞳孔中心座標（ｘ２，ｙ２）に移動させた後、第２座標データ（ｚ１）及び第１焦点位置データ（ｆ１）を利用して再調整することができる。他の実施形態として、制御ユニット４００は、第１測定位置情報または第２測定位置情報の４軸座標データを利用し、網膜撮影ユニット２００の位置を直ちに移動させることもできる。しかし、網膜位置の探索よりは、瞳孔位置の探索の方が若干容易であるために、制御ユニット４００は、網膜撮影ユニット２００が、ｘ−ｙ平面上の瞳孔中心座標に移動し後、ｚ軸に移動し、焦点（ｆ）を合わせることにより、網膜撮影ユニット２００の調整容易性及び位置正確性を向上させることができる。
【００４９】
一方、制御ユニット４００は、被検者の左目と右目との距離データを、メモリ部４０２にさらに保存することができる。制御ユニット４００は、網膜撮影ユニット２００が、左目及び右目のうちいずれか一つを測定した後、前述のような距離データを利用し、反対側目に移動するように、駆動ユニット３００を制御することができる。
【００５０】
一方、網膜撮影装置１０は、図示されていないが、外部から提供されるオーディオ信号を受信する通信ユニット（図示せず）、及び受信されたオーディオ信号を被検者に伝達するスピーカユニット１３０をさらに含んでもよい。通信ユニット（図示せず）は、有線通信、またはブルートゥース（Bluetooth）、無線ＬＡＮ（wireless local area network）、ＮＦＣ（near field communication）のような無線通信を介して、外部からオーディオ信号が提供される。スピーカユニット１３０は、被検者の耳に隣接するように、ボディユニット１００の据置部１０２の一側にも配置される。スピーカユニット１３０は、一実施形態として受信されたオーディオ信号を、骨伝導（bone conduction）で出力する骨伝導スピーカでもある。しかし、本発明は、それに制限されるものではなく、スピーカユニット１３０は、受信されたオーディオ信号を、空気を介して被検者に出力することができるスピーカも適用されるということは言うまでもない。
【００５１】
また、網膜撮影装置１０は、被検者がボディユニット１００を装着すれば、装着いかんに係わる入力信号を生成する入力ユニット（図示せず）をさらに含んでもよい。このとき、入力ユニット（図示せず）は、被検者が手動で装着いかんを知らせたり、検査開始を知らせたりすることができるスイッチまたはボタンのような入力部（図示せず）を具備することができる。入力ユニット（図示せず）は、被検者がボタンを押せば、入力信号を生成し、制御ユニット４００に提供することができる。他の実施形態として、入力ユニット（図示せず）は、被検者がボディユニット１００を装着すれば、それを感知して入力信号を生成するセンサ部（図示せず）を含んでもよい。センサ部（図示せず）は、被検者の着用動作を感知したり、身体一部を感知したりし、入力信号を生成することができる。このとき、センサ部（図示せず）は、ＧＰＳセンサまたはジャイロセンサなどをさらに具備し、前述のようなセンサから提供される網膜撮影装置１０自体の位置情報を獲得することができる。このとき、制御ユニット４００は、前述のような位置情報及び入力信号を利用し、被検者が網膜撮影装置１０を正しく装着しているか否かということを判断し、正常装着したと判断されれば、網膜撮影を始めることができる。
【００５２】
以下、本発明の一実施形態による網膜撮影ユニット２００について具体的に説明する。
【００５３】
図５は、図４の網膜撮影ユニット２００の光学構造を概略的に図示した図面である。
【００５４】
図４及び図５を参照すれば、網膜撮影ユニット２００は、第１光源部２１１、第２光源部２１３、検出部２２０及び光学部２３０を含んでもよい。
【００５５】
第１光源部２１１は、被検者の左目または右目の網膜に、第１光を照射し、第２光源部２１３は、被検者の左目または右目の網膜に、第２光を照射することができる。ここで、第２光は、第１光と異なる波長帯域を有することができる。第１光は、４５０ｎｍないし６５０ｎｍ波長帯域の白色光でもあり、第２光は、７５０ｎｍないし９５０ｎｍ波長帯域の赤外線でもある。他の実施形態として、第２光源部２１３は、複数の波長帯域を照射することができる複数の光源を具備することができ、必要によっては、複数の波長帯域のうち２以上を組み合わせ、第２光を照射することができる。例えば、血糖数値（glucose level）を把握するために、第２光源部２１３は、６５０ないし６７０ｎｍ波長帯域、及び８００ないし１，３００ｎｍ波長帯域の光を照射することができる。または、自家蛍光撮影のために、第２光源部２１３は、４７０ないし４９０ｎｍ波長帯域、７９０ないし８１０ｎｍ波長帯域、及び４５０ｎｍの波長の光を照射することができる。このとき、４７０ないし４９０ｎｍ波長帯域、７９０ないし８１０ｎｍ波長帯域、及び４５０ｎｍの波長の光は、それぞれリポフスチン（lipofuscin）、メラニン（melanin）及び黄色タンパク質（flavoprotein）の自家蛍光撮影にも使用される。または、最終糖酸化物（ＡＧＥｓ）測定のために、第２光源部２１３は、３７０ないし４００ｎｍ波長帯域の光を照射することができる。または、酸素飽和度（hemoglobin、deoxyhemoglobin）測定のために、第２光源部２１３は、５７０ないし５８０ｎｍの波長帯域の光、７５０ｎｍ波長の光、及び８００ｎｍ波長の光を照射することができる。第２光源部２１３は、波長帯域が、異なる光を１回に照射することもでき、順次に、被検者の左目または右目の網膜に照射することもできる。
【００５６】
本発明の一実施形態による網膜撮影装置１０は、赤外線を照射する第２光源部２１３を利用し、網膜または眼球Ｅの位置を把握し、白色光を照射する第１光源部２１１を利用して網膜を撮影することができる。しかし、本発明は、それに制限されるものではなく、第２光源部２１３を利用して網膜を撮影することもできるということは言うまでもない。
【００５７】
検出部２２０は、前記網膜から反射された第１光及び／または第２光を検出することができる。検出部２２０は、第１光及び第２光を感知することができる感知手段を含んでもよい。例えば、検出部２２０は、可視光線波長帯域の光源、及び／または赤外線波長帯域の光源を利用する場合、映像を撮影するＣＭＯＳ（complementary metal-oxide semiconductor）イメージセンサでもある。
【００５８】
光学部２３０は、１以上のレンズ及びプリズム、またはビームスプリッタのような光路変更手段を具備し、第１光源部２１１から照射された第１光を網膜に案内し、網膜から反射された第１光を、検出部２２０に案内することができる。このとき、光学部２３０は、第１光源部２１１から照射された第１光だけではなく、第２光源部２１３から照射された第２光を網膜に案内し、網膜から反射された第２光を検出部２２０に案内することができる。以下では、説明の便宜のために、第１光源部２１１及び第２光源部２１３を、光源部２１０と定義し、第１光及び第２光を、同一光路を有する光Ｌと定義する。
【００５９】
光学部２３０は、第１光路変更手段Ｓ１を利用し、光源部２１０から照射された光Ｌの経路を変更し、被検者眼球Ｅの網膜に照射し、網膜で反射されて出射される光Ｌを、検出部２２０に提供することができる。このとき、光学部２３０は、光Ｌ経路上に光Ｌを集束させ、網膜に提供するか、あるいは検出部２２０に提供することができる１以上のレンズを含んでもよい。また、光学部２３０は、検出部２２０に提供される光Ｌ経路上に配置されるレンズＬ１と連結され、レンズＬ１をして、自動的に焦点を合わさせるオートフォーカシングアクチュエータ（auto focusing actuator）Ｍ１をさらに含んでもよい。図面においては、オートフォーカシングアクチュエータＭ１が、１つのレンズＬ１に連結されているように図示されているが、本発明は、それに制限されるものではなく、１以上のレンズを含むレンズモジュールにも連結される。
【００６０】
一方、一実施形態による網膜撮影装置１０は、ケース１０１内部に配置され、被検者の左目または右目に既設定パターンを含むパターン映像を提供するディスプレイユニット２４０をさらに含んでもよい。該パターン映像は、網膜を撮影する間、被検者の目を固定させるための視線固定点（fixation point）を含む映像でもある。他の実施形態として、該パターン映像は、被検者の色盲／色弱検査のような視力検査に使用されるパターンを含んでもよい。
【００６１】
このとき、光学部２３０は、ディスプレイユニット２４０から提供されるパターン映像Ｄを被検者の網膜にさらに案内することができる。ディスプレイユニット２４０は、ボディユニット１００のケース１０１内部に、光源部２１０と異なる位置に配置されてもよい。光学部２３０は、ディスプレイユニット２４０から提供されるパターン映像Ｄの経路を変更して網膜に案内する第２光路変更手段Ｓ２をさらに含んでもよい。また、光学部２３０は、角膜反射（cornea reflection）及びバックスキャッタリング（back-scattering）を防止するための第１偏光板Ｆ１及び第２偏光板Ｆ２をさらに含んでもよい。第１偏光板Ｆ１は、第１光路変更手段Ｓ１と眼球Ｅとの間に配置され、第２偏光板Ｆ２は、ディスプレイユニット２４０と第２光路変更手段Ｓ２との間にも配置され、光軸が互いに垂直するようにも配置される。
【００６２】
図６は、図４の網膜撮影ユニット２００の光学構造の他の実施形態を概略的に図示した図面である。
【００６３】
図４及び図６を参照すれば、他の実施形態の網膜撮影ユニット２００は、前述のようなディスプレイユニット２４０が、検出部２２０に隣接するように配置されるという点、第１光源部２１１及び第２光源部２１３を含む光源部２１０が、オフアクシス（off-axis）方式で光を照射するという点において、図５の網膜撮影ユニット２００と違いがある。本明細書において、同一符号は、同一構成要素を示すが、説明の便宜のために、重複説明は、省略する。
【００６４】
第１光源部２１１は、被検者の左目または右目の網膜に、第１光を照射し、第２光源部２１３は、被検者の左目または右目の網膜に、第２光を照射することができる。第１光源部２１１及び第２光源部２１３は、図示されているように、オフアクシス方式で、被検者の左目または右目に光を照射することにより、照射された光が、網膜ではない瞳孔から反射されて検出部２２０に進入する現象を最小化させることができる。
【００６５】
検出部２２０は、前記網膜から反射された第１光及び／または第２光を検出することができる。検出部２２０は、第１光及び第２光を感知することができる感知手段を含んでもよい。例えば、検出部２２０は、可視光線波長帯域の光源、及び／または赤外線波長帯域の光源を利用する場合、映像を撮影するＣＭＯＳイメージセンサでもある。
【００６６】
光学部２３０は、１以上のレンズ及びプリズム、またはビームスプリッタのような光路変更手段２５０を具備し、第１光源部２１１及び第２光源部２１３から照射された光を網膜に案内し、網膜から反射された光を検出部２２０に案内することができる。
【００６７】
光学部２３０は、光路変更手段２５０を利用し、ディスプレイユニット２４０から提供されるパターン映像Ｄを、被検者の網膜にさらに案内することができる。ディスプレイユニット２４０は、図５の網膜撮影ユニット２００と異なり、検出部２２０に隣接するように配置されてもよい。光路変更手段２５０は、ディスプレイユニット２４０から提供されるパターン映像Ｄの経路を変更して網膜に案内すると共に、網膜から反射された光を通過させ、検出部２２０に案内することができる。
【００６８】
以下では、図７及び図８を参照し、本発明の一実施形態による網膜撮影装置１０を利用した網膜撮影方法について具体的に説明する。
【００６９】
図７は、本発明の一実施形態による網膜撮影装置１０を利用した網膜撮影方法を順次に図示した順序図であり、図６は、図１の網膜撮影装置１０を利用して網膜を撮影する方法を概略的に示した概念図である。
【００７０】
図７及び図８を参照すれば、被検者が、ボディユニット、網膜撮影ユニット、駆動ユニット、ディスプレイユニット及び制御ユニットを含む網膜撮影装置を着用した状態で、まず、駆動ユニットにより、ボディユニットの内部において、被検者の左目または右目に対応する位置に、網膜撮影ユニットを移動させる（Ｓ１００）。前述のように、駆動ユニットは、網膜撮影ユニットと連結され、被検者の片方の目の網膜を撮影した後、他方の目の網膜を撮影するように、ボディユニットの内部において、網膜撮影ユニットを移動させることができる。
【００７１】
その後、被検者の左目または右目、言い換えれば、網膜撮影ユニットが移動して撮影する片方の目に、ディスプレイユニットにより、既設定パターン映像を提供する（Ｓ２００）。前述のようなパターン映像Ｄは、被検者の目を固定させるための視線固定点（ＦＰ）を含んでもよい。
【００７２】
その後、光源部、光学部及び検出部を含む網膜撮影ユニットにより、被検者の左目または右目の網膜に光を照射し、網膜から反射された光を検出し、網膜の仮映像を撮影する（Ｓ３００）。網膜の仮映像は、リアルタイムで撮影され、それを利用し、網膜撮影ユニットの位置を整列させることができる。
【００７３】
その後、制御ユニットにより、仮映像及びパターン映像を基に、網膜撮影ユニットの位置を調整する。具体的には、制御ユニットは、前述のような仮映像に、被検者の左目または右目の黄斑（Ｆ）及び視神経乳頭（ＯＤ）がいずれも存在するか否かということを確認する（Ｓ４００）。仮映像に、被検者の左目または右目の黄斑及び視神経乳頭がいずれも存在する場合、黄斑中心とパターン映像の中心とを一致させることができる（Ｓ６００）。このとき、該パターン映像は、視線固定点（ＦＰ）を含む映像であり、制御ユニットは、パターン映像の中心に配置される視線固定点（ＦＰ）と黄斑の中心とが一致するように駆動ユニットを制御し、網膜撮影ユニット２００の位置を微細に調整することができる。
【００７４】
もし仮映像に、黄斑（Ｆ）及び視神経乳頭（ＯＤ）がいずれも存在しないか、あるいは二つのうち一つだけ存在する場合、制御ユニット４００は、駆動ユニットを制御し、網膜撮影ユニットの位置を調整することができる（Ｓ５００）。該制御ユニットは、仮映像に黄斑（Ｆ）及び視神経乳頭（ＯＤ）がいずれも存在するまで、網膜撮影ユニットの位置を巨視的に調整した後、黄斑（Ｆ）の中心と、視線固定点（ＦＰ）の中心とが一致するように網膜撮影ユニットを微細に調整することができる。そのように、被検者の左目または右目の網膜に、整列された網膜撮影ユニットを利用し、正確であって鮮明な網膜の映像を獲得することができる（Ｓ７００）。
【００７５】
図９は、本発明の他の実施形態による網膜撮影装置１０を利用した網膜撮影方法を順次に図示した順序図であり、図１０は、図８の網膜撮影方法について説明するための概念図である。
【００７６】
図７及び図８の網膜撮影装置１０を利用した網膜撮影方法は、被検者が網膜撮影装置１０を利用し、初めて網膜を撮影するか、あるいは網膜の位置情報のアップデートが必要な場合の網膜撮影方法である。従って、前述のような方法を介して網膜の映像を獲得する最適位置情報が保存されれば、以下、網膜撮影方法を利用し、簡単に網膜撮影を進めることができる。
【００７７】
図９及び図１０を参照すれば、制御ユニットは、前述のような図７の網膜撮影方法によって導出された最適位置情報である第１測定位置情報及び第２測定位置情報を、外部サーバから提供されることができる（Ｔ１００）。このとき、第１測定位置情報及び第２測定位置情報は、以前の網膜撮影の最適焦点条件での網膜撮影ユニット２００の位置情報でもある。該最適焦点条件は、自動焦点アルゴリズムによっても決定される。しかし、本発明は、それに制限されるものではなく、該最適焦点条件は、外部の判読業体、または外部の検査者によって手動でも選択される。外部の判読業体、または外部の検査者は、被検者に係わる複数の網膜映像を読み取り、そのうち最も焦点が正確な映像を選択することができる。前述のような最適焦点条件は、最も焦点が正確な映像を撮影した場合の網膜撮影ユニット２００の位置情報でもある。ただし、以下では、説明の便宜のために、該最適焦点条件が自動焦点アルゴリズムによって決定される場合を中心に説明する。
【００７８】
ここで、該自動焦点アルゴリズムは、コントラスト（contrast）検出方式または位相差（phase difference）検出方式などを利用することができる。制御ユニットは、そのような自動焦点アルゴリズムを利用し、最適の網膜映像を獲得し、そのときの位置情報をメモリ部に保存することができる。
【００７９】
その後、被検者が、さらに網膜を撮影するために、網膜撮影装置１０を装着すれば、第１測定位置情報及び第２測定位置情報のうちいずれか一つを利用し、第１位置Ｐ１１に網膜撮影ユニット２００を移動させた後、網膜を撮影し、第１網膜映像を獲得することができる。図１０においては、右目ＲＩに対する網膜映像獲得後、左目ＬＥに対する網膜映像を獲得する順序で図示したが、本発明の技術的思想は、それに制限されるものではない。以下では、説明の便宜のために、右目ＲＩ撮影後、左目ＬＥを撮影する場合を中心に説明する。
【００８０】
具体的には、制御ユニットは、第１測定位置情報に含まれた第１瞳孔中心座標（ｘ１，ｙ１）に網膜撮影ユニット２００を移動させる（Ｔ２１０）。第１瞳孔中心座標（ｘ１，ｙ１）は、ｘ−ｙ平面（ＰＡ）上の座標データであり、網膜の中心と、網膜撮影ユニット２００の中心とを連結する延長線に対して垂直な平面（ＰＡ）上の座標データでもある。次に、制御ユニットは、第１座標データｚ１及び第１焦点位置データｆ１を利用し、網膜撮影ユニット２００の位置を調整することができる（Ｔ２２０）。次に、網膜撮影ユニット２００は、右目ＲＩの網膜を撮影し、第１網膜映像を獲得することができる。
【００８１】
制御ユニットは、４軸データである第１測定位置情報（ｘ１，ｙ１，ｚ１，ｆ１）を利用し、網膜撮影ユニット２００が、以前の網膜撮影時、最適映像を獲得した第１位置Ｐ１１に直ちに移動するように制御することができる。しかし、網膜の位置を探索することより、瞳孔の位置を探索することが若干容易であるめに、制御ユニットは、網膜撮影ユニット２００を、ｘ−ｙ平面（ＰＡ）上の第１瞳孔中心座標（ｘ１，ｙ１）に移動させた後、第１座標データｚ１を利用し、ｚ軸に移動し、第１焦点位置データｆ１を利用し、焦点を合わせることができる。それを介して、網膜撮影装置１０は、網膜撮影ユニット２００の調整容易性及び位置正確性を向上させることができる。
【００８２】
その後、制御ユニットは、メモリ部に保存された距離データｌを利用し、網膜撮影ユニット２００を反対側の目、すなわち、左目Ｌに移動させる（Ｔ３００）。ここで、距離データｌは、第１瞳孔中心座標（ｘ１，ｙ１）と第２瞳孔中心座標（ｘ２，ｙ２）との通りでもあるが、網膜撮影ユニット２００の調整を容易にするために、ｘ軸上の距離で示すことができる。言い換えれば、距離データｌは、｜ｘ１−ｘ２｜と示すことができる。
【００８３】
その後、制御ユニットは、第２測定位置情報を利用し、第２位置Ｐ２２に網膜撮影ユニット２００を移動させた後、網膜を撮影し、第２網膜映像を獲得することができる。具体的には、制御ユニットは、第２測定位置情報に含まれた第２瞳孔中心座標（ｘ２，ｙ２）に網膜撮影ユニット２００を移動させる（Ｔ４１０）。第２瞳孔中心座標（ｘ２，ｙ２）は、ｘ−ｙ平面（ＰＡ）上の座標データであり、網膜の中心と、網膜撮影ユニット２００の中心とを連結する延長線に対して垂直な平面（ＰＡ）上の座標データでもある。次に、制御ユニットは、第２座標データｚ２及び第２焦点位置データｆ２を利用し、網膜撮影ユニット２００の位置を調整することができる（Ｔ４２０）。次に、網膜撮影ユニット２００は、左目ＬＥの網膜を撮影し、第２網膜映像を獲得することができる。
【００８４】
一方、本発明の一実施形態による網膜撮影装置を利用した網膜撮影方法は、前述のような第１網膜映像または第２網膜映像を、以前に撮影された最適焦点条件での映像と比較する段階をさらに含んでもよい。第１測定位置情報及び第２測定位置情報が、最適焦点条件での網膜撮影ユニットの位置情報や、被検者の身体変化、または網膜撮影装置の装着習慣などの変化により、位置がずれたりもする。制御ユニットは、前述のような変化により、第１網膜映像または第２網膜映像、が以前最適焦点条件で撮影された映像と違いが発生する場合、図５の網膜撮影方法によって網膜を再撮影し、そのときの第１焦点位置情報及び第２焦点位置情報をメモリ部に保存させて補正することができる。
【００８５】
前述のように、本発明の一実施形態による網膜撮影装置は、据置部を利用し、ボディユニットを安定して固定させることにより、どこにでも携帯し、網膜撮影を可能にしながらも、正確であって鮮明な網膜映像を獲得するようにする。また、該網膜撮影装置は、ボディユニットの内部において、網膜撮影ユニットの位置を移動させることができる駆動ユニットを含むことにより、１回の装着で、被検者の両眼のいずれもが同一環境条件で撮影が可能であり、正確な検査結果を導出することができる。また、本発明の一実施形態による網膜撮影装置の網膜撮影方法は、仮映像を撮影しながら、被検者の黄斑及び視神経乳頭がいずれも存在するように、網膜撮影ユニットを巨視的に移動させた後、黄斑の中心に網膜撮影ユニットが位置するように微細に調整することにより、網膜撮影ユニットを迅速であって正確に網膜に整列させることができる。
【００８６】
また、本発明の一実施形態による網膜撮影装置は、再測定時、以前の最適焦点条件での網膜撮影ユニットの位置情報を利用し、若干複雑な整列過程を省略し、正確でありながらも迅速に網膜を撮影することができる。
【００８７】
以上、本発明について、望ましい実施形態を中心に述べた。本発明が属する技術分野で当業者であるならば、本発明の本質的な特性から外れない範囲で変形された形態に、本発明を具現することができるということを理解するであろう。従って、前述の実施形態は、限定的な観点ではなく、説明的な観点から考慮されなければならない。本発明の範囲は、前述の説明ではなく、特許請求の範囲に示されており、それと同等な範囲内にある全ての差異は、本発明に含まれたものであると解釈されなければならない。
【産業上の利用可能性】
【００８８】
本発明によれば、網膜撮影装置を提供する。また、産業上利用する網膜、眼底、眼球、角膜などを撮像する場合、本発明の実施形態を適用することができる。
【図１】
2020507386.tif 000003
【図２】
2020507386.tif 000004
【図３】
2020507386.tif 000005
【図４】
2020507386.tif 000006
【図５】
2020507386.tif 000007
【図６】
2020507386.tif 000008
【図７】
2020507386.tif 000009
【図８】
2020507386.tif 000010
【図９】
2020507386.tif 000011
【図１０】
2020507386.tif 000012
【国際調査報告】
2020507386.tif 000013
2020507386.tif 000014
2020507386.tif 000015
2020507386.tif 000016